(57)【要約】【課題】  多数の植物をまとめて保温できると共に、連結式にすることにより組み立てや長さの調節を簡単に行える植物用連結式保温カバーを提供する。【解決手段】  アーチ部２１並びにツバ部２２を有し、長さ方向に沿ってずらした状態で一部同士が重なり合うように互いに着脱自在に連結される透光性プラスチック製の少なくとも１つのカバーユニット２と、連結用アーチ部３１、カバー部３２、並びにツバ部３３を有し、長さ方向の内縁部がカバーユニット２の長さ方向の一縁部又は他縁部と重なり合うようにカバーユニット２の長さ方向の一縁部及び他縁部にそれぞれ着脱自在に連結された透光性プラスチック製の端部カバー３を備えた。【選択図】  図１
0003167556.tif 000002
【実用新案登録請求の範囲】
【請求項１】
複数の山部及び複数の谷部を有する波板状でかつ前記山部及び前記谷部が周方向に沿って延びるようにアーチ状に形成されたアーチ部、並びに、前記アーチ部の２つの下縁にそれぞれ外側方へ突出するように設けられたツバ部を有し、長さ方向に沿ってずらした状態で一部同士が重なり合うように互いに着脱自在に連結される透光性プラスチック製の少なくとも１つのカバーユニットと、
山部、谷部、もしくは、少なくとも１つの山部及び少なくとも１つの谷部を有する波板状でかつ前記山部と前記谷部の少なくともいずれかが周方向に沿って延びるようにアーチ状に形成された連結用アーチ部、前記連結用アーチ部の長さ方向の外縁に設けられたカバー部、並びに、前記連結用アーチ部の下縁及び前記カバー部の下縁に外側方へ突出するように設けられたツバ部を有し、長さ方向の内縁部が前記カバーユニットの長さ方向の一縁部又は他縁部と重なり合うように前記カバーユニットの長さ方向の一縁部及び他縁部にそれぞれ着脱自在に連結された透光性プラスチック製の端部カバー、
を備えたことを特徴とする植物用連結式保温カバー。
【請求項２】
複数の山部及び複数の谷部を有する波板状でかつ前記山部及び前記谷部が周方向に沿って延びるようにアーチ状に形成されたアーチ部、並びに、前記アーチ部の２つの下縁にそれぞれ下方へ突出するように互いに間隔を開けて設けられた複数の突刺部を有し、長さ方向に沿ってずらした状態で一部同士が重なり合うように互いに着脱自在に連結される透光性プラスチック製の少なくとも１つのカバーユニットと、
山部、谷部、もしくは、少なくとも１つの山部及び少なくとも１つの谷部を有する波板状でかつ前記山部と前記谷部の少なくともいずれかが周方向に沿って延びるようにアーチ状に形成された連結用アーチ部、前記連結用アーチ部の長さ方向の外縁に設けられたカバー部、並びに、前記連結用アーチ部の下縁及び前記カバー部の下縁に下方へ突出するように互いに間隔を開けて設けられた複数の突刺部を有し、長さ方向の内縁部が前記カバーユニットの長さ方向の一縁部又は他縁部と重なり合うように前記カバーユニットの長さ方向の一縁部及び他縁部にそれぞれ着脱自在に連結された透光性プラスチック製の端部カバー、
を備えたことを特徴とする植物用連結式保温カバー。
【請求項３】
前記カバーユニットの少なくとも１つの谷部に少なくとも１つの通気孔を設けた請求項１又は２に記載の植物用連結式保温カバー。
【請求項４】
前記カバーユニットの少なくとも１つの谷部に少なくとも１つの凹部を設け、
前記通気孔を前記凹部の底部に設けると共に、
前記通気孔を閉塞するように前記凹部内に蓋体を出し入れ自在に挿入した請求項３に記載の植物用連結式保温カバー。
【請求項５】
前記蓋体の少なくとも一部が前記凹部から突出するように前記凹部内に前記蓋体を出し入れ自在に挿入した請求項４に記載の植物用連結式保温カバー。
【請求項６】
前記蓋体がペットボトルのキャップである請求項４又は５に記載の植物用連結式保温カバー。
【考案の詳細な説明】
【技術分野】
【０００１】
本考案は、農作物や園芸作物等の植物を保温して栽培するための植物用連結式保温カバーに関するものである。
【背景技術】
【０００２】
周知のように、低温期である晩秋、冬季、春先の露地栽培においては、農作物や園芸作物等の植物の生育を保温によって促進したり、害虫から守ったりするために、トンネル栽培が行われることが多い。
【０００３】
このトンネル栽培においては、畑に複数の骨格用のアーチ状支柱を互いに平行にかつ間隔を開けて並べるように立設し、塩化ビニル樹脂シート、ポリエチレンシート、不織布、寒冷紗等の被覆材を前記アーチ状支柱の上から被せ、前記アーチ状支柱同士の間に上方から前記被覆材を押さえるように押さえ用のアーチ状支柱をそれぞれ立設等することによって、畑の畝（うね）の長さ方向等の水平方向に延びる保温カバーを組み立てるのが一般的である。
【０００４】
一方、植物を１本ずつ保温する場合には、畑に２本のアーチ状支柱を平面視が十字状となるように立設し、ポリエチレンシート等の被覆材を前記アーチ状支柱の上から被せることによって、ホットキャップと呼ばれる保温カバーを組み立てることもある。
【０００５】
また、ホットキャップと呼ばれる保温カバーとしては、半球状の透明樹脂カバー（例えば、株式会社アカサカ製の「苗帽子（登録商標）」）が知られていると共に、合成樹脂により一体成形された下側が開口するコップ状筒体からなり、前記コップ状筒体の下端部に土中に埋め込むための突出部を周方向に間隔を開けて形成し、前記コップ状筒体は下方に向かって増径されテーパ状に形成されている植物用保護カバー（例えば、特許文献１参照）等が知られている。
【先行技術文献】
【特許文献】
【０００６】
【特許文献１】実用新案登録第３１０４６８２号公報（図６、請求項１、等）
【考案の開示】
【考案が解決しようとする課題】
【０００７】
しかし、ホットキャップと呼ばれる前記のような保温カバーにおいては、各植物ごとに設置する必要があるので、多数の植物を保温して栽培する場合には、大変手間がかかると共に、コスト高になるという問題点がある。
【０００８】
一方、トンネル栽培で使用される前記のような水平方向に延びる保温カバーにおいては、多数の植物をまとめて保温できるものの、骨格用のアーチ状支柱、被覆材、及び押さえ用のアーチ状支柱等を使用して既述のように組み立てる必要があるので、組み立てに大変手間がかかると共に、長さの調節が簡単にはできないという問題点がある。
【０００９】
本考案は、以上のような事情や問題点に鑑みてなされたものであり、多数の植物をまとめて保温できると共に、連結式にすることにより組み立てや長さの調節を簡単に行える植物用連結式保温カバーを提供することを目的とする。
【課題を解決するための手段】
【００１０】
上記目的を達成するための第１の考案は、複数の山部及び複数の谷部を有する波板状でかつ前記山部及び前記谷部が周方向に沿って延びるようにアーチ状に形成されたアーチ部、並びに、前記アーチ部の２つの下縁にそれぞれ外側方へ突出するように設けられたツバ部を有し、長さ方向に沿ってずらした状態で一部同士が重なり合うように互いに着脱自在に連結される透光性プラスチック製の少なくとも１つのカバーユニットと、山部、谷部、もしくは、少なくとも１つの山部及び少なくとも１つの谷部を有する波板状でかつ前記山部と前記谷部の少なくともいずれかが周方向に沿って延びるようにアーチ状に形成された連結用アーチ部、前記連結用アーチ部の長さ方向の外縁に設けられたカバー部、並びに、前記連結用アーチ部の下縁及び前記カバー部の下縁に外側方へ突出するように設けられたツバ部を有し、長さ方向の内縁部が前記カバーユニットの長さ方向の一縁部又は他縁部と重なり合うように前記カバーユニットの長さ方向の一縁部及び他縁部にそれぞれ着脱自在に連結された透光性プラスチック製の端部カバー、を備えたものである。
【００１１】
第２の考案は、複数の山部及び複数の谷部を有する波板状でかつ前記山部及び前記谷部が周方向に沿って延びるようにアーチ状に形成されたアーチ部、並びに、前記アーチ部の２つの下縁にそれぞれ下方へ突出するように互いに間隔を開けて設けられた複数の突刺部を有し、長さ方向に沿ってずらした状態で一部同士が重なり合うように互いに着脱自在に連結される透光性プラスチック製の少なくとも１つのカバーユニットと、山部、谷部、もしくは、少なくとも１つの山部及び少なくとも１つの谷部を有する波板状でかつ前記山部と前記谷部の少なくともいずれかが周方向に沿って延びるようにアーチ状に形成された連結用アーチ部、前記連結用アーチ部の長さ方向の外縁に設けられたカバー部、並びに、前記連結用アーチ部の下縁及び前記カバー部の下縁に下方へ突出するように互いに間隔を開けて設けられた複数の突刺部を有し、長さ方向の内縁部が前記カバーユニットの長さ方向の一縁部又は他縁部と重なり合うように前記カバーユニットの長さ方向の一縁部及び他縁部にそれぞれ着脱自在に連結された透光性プラスチック製の端部カバー、を備えたものである。
【００１２】
第３の考案は、前記カバーユニットの少なくとも１つの谷部に少なくとも１つの通気孔を設けたものである。
【００１３】
第４の考案は、前記カバーユニットの少なくとも１つの谷部に少なくとも１つの凹部を設け、前記通気孔を前記凹部の底部に設けると共に、前記通気孔を閉塞するように前記凹部内に蓋体を出し入れ自在に挿入したものである。
【００１４】
第５の考案は、前記蓋体の少なくとも一部が前記凹部から突出するように前記凹部内に前記蓋体を出し入れ自在に挿入したものである。
【００１５】
第６の考案においては、前記蓋体がペットボトルのキャップである。
【考案の効果】
【００１６】
第１及び第２の考案によれば、少なくとも１つのカバーユニットと２つの端部カバーを備え、水平方向に延びるように形成された連結式のものであるので、多数の植物をまとめて保温できると共に、組み立てや長さの調節を簡単に行える。
【００１７】
第３の考案によれば、植物用連結式保温カバー内の温度の過上昇を防止できると共に、植物用連結式保温カバーの上からまかれた水が通気孔から内部へ流下し易い。
【００１８】
第４の考案によれば、蓋体を凹部から取り外したり、凹部内に挿入したりすることにより、凹部の底部に設けられた通気孔を開放したり、閉塞したりすることができる。
【００１９】
第５の考案によれば、蓋体の突出部分をつかみ易いので、蓋体の出し入れを簡単に行える。
【００２０】
第６の考案によれば、ペットボトルのキャップをそのまま転用できるので、キャップの再利用及びコストダウンを図ることができる。
【図面の簡単な説明】
【００２１】
【図１】第１実施形態に係る植物用連結式保温カバーの正面図である。
【図２】図１のＡ−Ａ線端面図である。
【図３】植物用連結式保温カバーの平面図である。
【図４】カバーユニットの正面図である。
【図５】図４の右方向から見た側面図である。
【図６】カバーユニットの平面図である。
【図７】端部カバーの正面図である。
【図８】図７の右方向から見た側面図である。
【図９】端部カバーの平面図である。
【図１０】第２実施形態に係る植物用連結式保温カバーの平面図である。
【図１１】凹部内にキャップを出し入れ自在に挿入した状態を示す長さ方向の要部拡大端面図である。
【図１２】キャップを凹部から取り外した状態を示す要部拡大平面図である。
【図１３】第３実施形態に係る植物用連結式保温カバーの平面図である。
【図１４】植物用連結式保温カバーの幅方向の端面図である。
【図１５】第４実施形態に係る植物用連結式保温カバーの正面図である。
【図１６】カバーユニットの正面図である。
【図１７】図１６の右方向から見た側面図である。
【図１８】端部カバーの正面図である。
【図１９】図１８の右方向から見た側面図である。
【考案を実施するための形態】
【００２２】
第１実施形態に係る植物用連結式保温カバー１は、図１〜図３に示すように、３つのカバーユニット２と２つの端部カバー３を備えている。
【００２３】
カバーユニット２及び端部カバー３は、透光性プラスチック製である。透光性プラスチックとは、透明プラスチックや半透明プラスチック等の透光性を有するプラスチックをいう。透光性プラスチックとしては、ポリエチレンテレフタレート（ＰＥＴ）、ポリカーボネート（ＰＣ）等が挙げられる。
【００２４】
カバーユニット２は、図４〜図６に示すように、アーチ部２１と２つのツバ部２２を有している。アーチ部２１は、５つの山部２１ａ及び５つの谷部２１ｂを有する波板状で、かつ、山部２１ａ及び谷部２１ｂが周方向に沿って延びるように半円状（アーチ状）に形成されている。ツバ部２２は、アーチ部２１の２つの下縁にそれぞれ外側方へ突出するように設けられている。
【００２５】
カバーユニット２は、例えば、長さ９０ｃｍ、高さ５０ｃｍ、幅１００ｃｍのサイズや、長さ４０ｃｍ、高さ３０ｃｍ、幅６０ｃｍのサイズの他、適宜のサイズに形成することができる。
【００２６】
植物用連結式保温カバー１に使用されるカバーユニット２の数は、３つに限定されるものではなく、１つ、２つ、又は４つ以上でもよい。カバーユニット２のアーチ部２１は、半円状の他、円弧状、Ｕ字状、コ字状、台形状、馬蹄状その他のアーチ状に形成することができる。アーチ部２１の山部２１ａや谷部２１ｂの数は、５つに限定されるものではなく、４つ以下又は６つ以上でもよい。
【００２７】
端部カバー３は、図７〜図９に示すように、連結用アーチ部３１とカバー部３２とツバ部３３を有している。連結用アーチ部３１は、１つの山部３１ａ及び２つの谷部３１ｂを有する波板状で、かつ、山部３１ａ及び谷部３１ｂが周方向に沿って延びるように半円状（アーチ状）に形成されている。カバー部３２は、連結用アーチ部３１の長さ方向の外縁に四半球状に設けられている。ツバ部３３は、連結用アーチ部３１の下縁及びカバー部３２の下縁に外側方へ突出するように設けられている。
【００２８】
連結用アーチ部３１は、カバーユニット２のアーチ部２１の形状に応じ、半円状の他、円弧状、Ｕ字状、コ字状、台形状、馬蹄状その他のアーチ状に形成することができる。連結用アーチ部３１の山部３１ａの数は、１つに限定されるものではなく、２つ以上でもよい。連結用アーチ部３１の谷部３１ｂの数も、２つに限定されるものではなく、１つ又は３つ以上でもよい。また、連結用アーチ部３１に、山部３１ａと谷部３１ｂのいずれか一方だけを設けてもよい。カバー部３２の形状も、四半球状に限定されるものではなく、連結用アーチ部３１の長さ方向の外縁に形成される開口部を閉塞するような形状であればよい。
【００２９】
植物用連結式保温カバー１の組み立てに際し、本実施形態のように複数のカバーユニット２を使用する場合には、図１〜図３に示すように、農作物や園芸作物等の植物４を栽培するための畑等の耕地５の上に複数のカバーユニット２を載置する際に、それらの長さ方向（図１の左右方向、図３の左右方向）に沿ってずらした状態で一部同士が重なり合うように互いに着脱自在に連結すればよい。複数のカバーユニット２を連結する順序、カバーユニット２を配置する向き、カバーユニット２同士を重ね合わせる範囲は、特に限定されるものではなく、必要に応じて適宜変更可能である。一方、１つのカバーユニット２を使用する場合には、耕地５の上にカバーユニット２を載置すればよい。このように、使用するカバーユニット２の数を変えたり、カバーユニット２同士を重ね合わせる範囲を変えたりすれば、カバーユニット２の部分の長さを調節することができる。
【００３０】
端部カバー３は、耕地５の上に載置する際に、長さ方向の内縁部がカバーユニット２の長さ方向の一縁部又は他縁部と重なり合うようにカバーユニット２の長さ方向の一縁部及び他縁部にそれぞれ着脱自在に連結すればよい。カバーユニット２と端部カバー３を連結する順序や、カバーユニット２と端部カバー３を重ね合わせる範囲も、特に限定されるものではなく、必要に応じて適宜変更可能である。カバーユニット２と端部カバー３を重ね合わせる範囲を変えれば、植物用連結式保温カバー１の長さを調節することができる。
【００３１】
植物用連結式保温カバー１を組み立てた後、図２に示すように、カバーユニット２のツバ部２２や端部カバー３のツバ部３３の上から土６を被せれば、植物用連結式保温カバー１が風で飛ばされるのを防止することができる。
【００３２】
以上のように構成された植物用連結式保温カバー１によれば、少なくとも１つのカバーユニット２と２つの端部カバー３を備え、水平方向に延びるように形成された連結式のものであるので、多数の植物４をまとめて保温できると共に、組み立てや長さの調節を簡単に行えるという利点がある。
【００３３】
第２実施形態に係る植物用連結式保温カバー４１は、図１０〜図１２に示すように、第１実施形態において、カバーユニット２の２つの谷部２１ｂの頂部にそれぞれ凹部４２を設け、複数の通気孔４３を凹部４２の底部に設けると共に、通気孔４３を閉塞するように凹部４２内にペットボトルのキャップ（蓋体）４４をその開口部を下方に向けた状態で出し入れ自在に挿入したものである。
【００３４】
凹部４２を設ける谷部２１ｂの数は、２つに限定されるものではなく、カバーユニット２の谷部２１ｂの数やカバーユニット２同士が重なり合わない範囲等に応じ、１つ又は３つ以上でもよい。谷部２１ｂに設ける凹部４２の位置も、頂部に限定されるものではなく、他の位置でもよい。谷部２１ｂに設ける凹部４２の数も、１つに限定されるものではなく、２つ以上でもよい。凹部４２の底部に設ける通気孔４３の数も、特に限定されるものではなく、１つ以上であればよい。
【００３５】
キャップ４４は、その開口部を上方に向けた状態で凹部４２内に挿入してもよい。このように、キャップ４４等の蓋体を凹部４２内に出し入れ自在に挿入しておけば、蓋体を凹部４２から取り外したり、凹部４２内に挿入したりすることにより、凹部４２の底部に設けられた通気孔４３を開放したり、閉塞したりすることができる。そこで、図１２に示すように、キャップ４４等の蓋体を凹部４２から取り外して通気孔４３を開放しておけば、植物用連結式保温カバー４１内の温度の過上昇を防止できると共に、カバーユニット２の谷部２１ｂに凹部４２を設けているので、植物用連結式保温カバー４１の上からまかれた水が凹部４２の底部の通気孔４３から内部へ流下し易いという利点がある。
【００３６】
また、図１１に示すように、キャップ４４等の蓋体の少なくとも一部が凹部４２から突出するように凹部４２内に蓋体を出し入れ自在に挿入しておけば、蓋体の突出部分をつかみ易いので、蓋体の出し入れを簡単に行えるという利点がある。
【００３７】
蓋体は、円板体等でもよいが、本実施形態のようなキャップ４４を採用すれば、ペットボトルのキャップ４４をそのまま転用できるので、キャップ４４の再利用及びコストダウンを図ることができるという利点がある。
【００３８】
第３実施形態に係る植物用連結式保温カバー５１は、図１３及び図１４に示すように、第１実施形態において、カバーユニット２の５つの谷部２１ｂにそれぞれ３つの通気孔４３を設けたものである。
【００３９】
通気孔４３を設ける谷部２１ｂの数は、５つに限定されるものではなく、カバーユニット２の谷部２１ｂの数等に応じ、４つ以下又は６つ以上でもよい。谷部２１ｂに設ける通気孔４３の数も、３つに限定されるものではなく、２つ以下又は４つ以上でもよい。植物用連結式保温カバー５１の上からは、必要に応じ、遮光や虫除けのための寒冷紗を被せてもよい。
【００４０】
このように、カバーユニット２の少なくとも１つの谷部２１ｂに少なくとも１つの通気孔４３を設けておけば、第２実施形態と同様、植物用連結式保温カバー５１内の温度の過上昇を防止できると共に、植物用連結式保温カバー５１の上からまかれた水が通気孔４３から内部へ流下し易いという利点がある。
【００４１】
第４実施形態に係る植物用連結式保温カバー６１は、図１５〜図１７に示すように、第１実施形態において、ツバ部２２，３３の代わりに、５つの突刺部２４をカバーユニット２のアーチ部２１の２つの下縁にそれぞれ下方へ突出するように互いに間隔を開けて設けると共に、７つの突刺部３４を端部カバー３の連結用アーチ部３１の下縁及びカバー部３２の下縁に下方へ突出するように互いに間隔を開けて設けたものである。
【００４２】
カバーユニット２に設ける突刺部２４の数は、５つに限定されるものではなく、４つ以下又は６つ以上でもよい。端部カバー３に設ける突刺部３４の数も、７つに限定されるものではなく、６つ以下又は８つ以上でもよい。
【００４３】
植物用連結式保温カバー６１の組み立てに際しては、図１５に示すように、カバーユニット２の突刺部２４や端部カバー３の突刺部３４を耕地５に対して突き刺せばよい。このように、突刺部２４，３４を耕地５に対して突き刺しておけば、植物用連結式保温カバー６１が風で飛ばされるのを防止することができる。植物用連結式保温カバー６１においても、少なくとも１つのカバーユニット２と２つの端部カバー３を備え、水平方向に延びるように形成された連結式のものであるので、第１実施形態と同様の利点がある。
【産業上の利用可能性】
【００４４】
以上のように、本考案に係る植物用連結式保温カバーは、多数の植物をまとめて保温して栽培するための連結式の保温カバーとして有用である。
【符号の説明】
【００４５】
１，４１，５１，６１  植物用連結式保温カバー
２  カバーユニット
３  端部カバー
２１  アーチ部
２１ａ  山部
２１ｂ  谷部
２２  ツバ部
２４  突刺部
３１  連結用アーチ部
３１ａ  山部
３１ｂ  谷部
３２  カバー部
３３  ツバ部
３４  突刺部
４２  凹部
４３  通気孔
４４  ペットボトルのキャップ（蓋体）
【図１】
0003167556.tif 000003
【図２】
0003167556.tif 000004
【図３】
0003167556.tif 000005
【図４】
0003167556.tif 000006
【図５】
0003167556.tif 000007
【図６】
0003167556.tif 000008
【図７】
0003167556.tif 000009
【図８】
0003167556.tif 000010
【図９】
0003167556.tif 000011
【図１０】
0003167556.tif 000012
【図１１】
0003167556.tif 000013
【図１２】
0003167556.tif 000014
【図１３】
0003167556.tif 000015
【図１４】
0003167556.tif 000016
【図１５】
0003167556.tif 000017
【図１６】
0003167556.tif 000018
【図１７】
0003167556.tif 000019
【図１８】
0003167556.tif 000020
【図１９】
0003167556.tif 000021